(57)【要約】【課題】  印刷物を排紙トレイに載置したままの状態で放置しているユーザまたはユーザ端末を識別して的確な警告を行う。【解決手段】  印刷ジョブ管理部１０５２は、排紙トレイ５２〜５４のＲＦＩＤリーダ１５０ａによって印刷物を綴じているＲＦＩＤ付クリップのＲＦＩＤを読み取り、その読み取りに変化がないまま所定時間が経過すると、ユーザ端末３００に対して印刷物の放置状態を警告する。また、回収箱１１０のＲＦＩＤリーダ１５０ｂによって、回収箱１１０に戻されたＲＦＩＤ付クリップのＲＦＩＤを読み取ることにより、排紙トレイ５２〜５４から印刷物は回収されているが、その後一定時間（例えば、１分等）経過しても回収箱１１０にＲＦＩＤ付クリップが未返却になっていると判断した場合も、ユーザ端末３００に対して合紙未返却の警告を行う。【選択図】  図２
2005201968.tif 000002
【特許請求の範囲】
【請求項１】
印刷機能を有する画像形成装置において、
画像データを送信してきたユーザまたはユーザ端末を識別する識別手段と、
同一の端末機器から出力された画像形成後の一連のシートをＲＦＩＤタグ付クリップを用いて仮綴じする仮綴じ手段と、
仮綴じした前記ＲＦＩＤタグ付クリップの存在を検知するために前記ＲＦＩＤタグのＩＤを検知するＲＦＩＤリーダと、
前記ＲＦＩＤリーダにより検知されたＩＤに基づいて画像形成後のシートの放置状態を判別する判別手段と、を備えたことを特徴とする画像形成装置。
【請求項２】
形成された画像の送信元であるユーザまたはユーザ端末と前記ＲＦＩＤタグのＩＤとを対応付けて記憶する記憶手段と、
前記判別手段によりシートが放置状態であると判別された場合には、前記ＲＦＩＤリーダにより検知されたＩＤに基づき前記記憶手段を検索することにより対応するユーザまたはユーザ端末を取得して当該ユーザまたはユーザ端末に放置状態を通知する通知手段と、を備えたことを特徴とする請求項１に記載の画像形成装置。
【請求項３】
前記仮綴じ手段に、前記シートから取り外されたＲＦＩＤタグ付クリップを回収するための回収箱が設けられるとともに、この回収箱へ回収されたＲＦＩＤタグ付クリップのＩＤを検知するＲＦＩＤリーダが設けられていることを特徴とする請求項１または請求項２に記載の画像形成装置。
【請求項４】
前記仮綴じ手段に、画像形成後のシートに対応する印刷ユーザ情報を、仮綴じするＲＦＩＤタグ付クリップのＲＦＩＤタグに書き込むＲＦＩＤライタが設けられていることを特徴とする請求項１または請求項２に記載の画像形成装置。
【請求項５】
前記記憶手段には、画像形成を行ったユーザまたはユーザ端末の情報、印刷ジョブ完了時刻及び放置時間等がＲＦＩＤタグのＩＤ情報と対応付けられて記憶されることを特徴とする請求項２に記載の画像形成装置。
【請求項６】
前記通知手段により放置状態をユーザに通知するタイミングを決定するための放置限度時間をユーザが任意に設定可能な設定手段を備えたことを特徴とする請求項５に記載の画像形成装置。
【請求項７】
前記設定手段は、放置限度時間に関係無く、特定の時間、日及び曜日などの単位で通知するタイミングを設定できることを特徴とする請求項６に記載の画像形成装置。
【請求項８】
前記請求項１ないし請求項７のいずれかに記載の複数台の画像形成装置がネットワークによって相互に接続されたシステムにおいて、
前記ＲＦＩＤリーダによってＲＦＩＤタグ付クリップから読み出されたＲＦＩＤデータを複数台の画像形成装置で共有化することを特徴とする画像形成システム。
【発明の詳細な説明】
【技術分野】
【０００１】
本発明は、複写機能を備えた画像形成装置（ＭＦＰ：マルチファンクションプリンタ）に係り、より詳細には、印刷物放置防止機能を備えた画像形成装置及び画像形成システムに関する。
【背景技術】
【０００２】
従来より、インクリボン等を用いてユーザを識別するデータを印字した紙片を綴じ具に貼付し、これを用いて出力シートを仮綴じする画像形成装置が提案されている（例えば、特許文献１参照）。
【０００３】
また、印刷時に記録紙に名前、バーコード等の識別コードを印字し、放置されている出力シートの識別コードを再度スキャンすることによりユーザを特定し、そのユーザに対し印刷結果の放置を通知する画像形成装置も提案されている（例えば、特許文献２参照）。
【特許文献１】特開２００２−２０５８７１号公報
【特許文献２】特開２０００−１５５５０６号公報
【発明の開示】
【発明が解決しようとする課題】
【０００４】
しかしながら、上記特許文献1の装置では、インクリボン等を用いて紙片にユーザを識別するデータを印字するため、使用状況によってはインクリボン等の補給が適宜必要となるといった問題があった。また、綴じ具を再利用する場合には、ユーザ自身が、紙片を綴じ具からはがさなければならなかった。さらに、クリップに貼付された紙片にユーザを識別するデータを印字するだけであるため、視覚的に印刷物の放置を検知することは可能であるが、ユーザ端末など、排紙トレイ以外の場所では、放置している状況を認識することができないといった問題もあった。
【０００５】
また、上記特許文献２の装置では、印刷物が放置されている場合、ユーザに対してその放置状況を通知するが、印刷を行ったユーザの識別を行うために印刷物を画像読取部へ再度搬送する機構が必要であり、それらの駆動機構及び制御が複雑であるといった問題があった。
【０００６】
本発明はかかる問題点を解決すべく創案されたもので、その目的は、印刷終了後、長時間にわたって排紙トレイあるいはＭＦＰ周辺に印刷物が放置されたままになっていないかを検知することにより、印刷物の長時間の放置を防止することのできる画像形成装置及び画像形成システムを提供することにある。
【課題を解決するための手段】
【０００７】
上記課題を解決するため、本発明の画像形成装置は、画像データを送信してきたユーザまたはユーザ端末を識別する識別手段と、同一の端末機器から出力された画像形成後の一連のシートをＲＦＩＤタグ付クリップを用いて仮綴じする仮綴じ手段と、仮綴じした前記ＲＦＩＤタグ付クリップの存在を検知するために前記ＲＦＩＤタグのＩＤを検知するＲＦＩＤリーダと、前記ＲＦＩＤリーダにより検知されたＩＤに基づいて画像形成後のシートの放置状態を判別する判別手段とを備えたことを特徴とする。
【０００８】
この場合、形成された画像の送信元であるユーザまたはユーザ端末と前記ＲＦＩＤタグのＩＤとを対応付けて記憶する記憶手段と、前記判別手段によりシートが放置状態であると判別された場合には、前記ＲＦＩＤリーダにより検知されたＩＤに基づき前記記憶手段を検索することにより対応するユーザまたはユーザ端末を取得して当該ユーザまたはユーザ端末に放置状態を通知する通知手段とをさらに備えた構成とすることができる。
【０００９】
このような特徴を有する本発明によれば、印刷物であるシートを排紙トレイに放置しているユーザに対して、ＲＦＩＤタグ付クリップから読み出したＩＤ（ユーザ情報）を元にユーザを識別して、当該ユーザに放置状態を通知（警告）することが可能となる。また、ＩＤよりユーザを特定することが可能であり、印刷物であるシートの向きや表裏といったシートの状態に影響されることがない。さらに、シートがＭＦＰの周辺に放置されている場合でも、特定が可能となる。さらにまた、印刷ジョブ単位でユーザを特定することが可能となる。
【００１０】
また、本発明によれば、前記仮綴じ手段に、前記シートから取り外されたＲＦＩＤタグ付クリップを回収するための回収箱を設けるとともに、この回収箱へ回収されたＲＦＩＤタグ付クリップのＩＤを検知するＲＦＩＤリーダを設けた構成としてもよい。このような構成とすると、ＲＦＩＤタグ付クリップを取り外して回収箱に回収することで、ＲＦＩＤタグ付クリップを何度でも再利用することができる。また、ＲＦＩＤリーダを設けることにより、ＲＦＩＤタグ付クリップが持ち去られずに、返却されたことを確認することができる。
【００１１】
また、本発明によれば、前記仮綴じ手段に、画像形成後のシートに対応する印刷ユーザ情報を、仮綴じするＲＦＩＤタグ付クリップのＲＦＩＤタグに書き込むＲＦＩＤライタを設けた構成としてもよい。このような構成とすると、仮綴じ手段にＲＦＩＤリーダを設置する場合に比べ、印刷完了時のＩＤ、ユーザＩＤ等の情報を関連付けて記憶する必要が無く、放置判定のみとなるため、制御部の構成が容易となる。
【００１２】
また、本発明によれば、前記記憶手段には、画像形成を行ったユーザまたはユーザ端末の情報、印刷ジョブ完了時刻及び放置時間等をＲＦＩＤタグのＩＤ情報と対応付けて記憶するように構成してもよい。このような構成とすると、放置時間が分かりやすく、例えば放置履歴により放置過多な人物を特定することがなどが容易に行える。
【００１３】
また、本発明によれば、前記通知手段により放置状態をユーザに通知するタイミングを決定するための放置限度時間をユーザが任意に設定可能な設定手段を備えた構成としてもよい。このような構成とすると、設置部門や、使用人数など、異なる環境において適切な時間を放置限度時間を設定することが可能となる。
【００１４】
また、本発明によれば、前記設定手段は、放置限度時間に関係無く、特定の時間、日及び曜日などの単位で通知するタイミングを設定できるように構成してもよい。このような構成とすれば、例えば休み前日や勤務日等の退勤時間の設定時間前に、放置されている印刷物に対して警告するように設定することで、退勤前までに印刷物が取り除かれ、休日中や退勤後等の非勤務時間に印刷物が放置されることを未然に防止することができる。
【００１５】
また、本発明の画像形成システムは、上記各構成の複数台の画像形成装置をネットワークによって相互に接続し、前記ＲＦＩＤリーダによってＲＦＩＤタグ付クリップから読み出されたＲＦＩＤデータをこの複数台の画像形成装置で共有化するように構成してもよい。このような構成とすれば、最寄りのＭＦＰの回収箱を利用できるため、ユーザに対して不便を強いることなく、また回収率を上げることが可能となる。
【発明の効果】
【００１６】
本発明の画像形成装置によれば、印刷物であるシートを排紙トレイに放置しているユーザに対して、ＲＦＩＤタグ付クリップから読み出したＩＤ（ユーザ情報）を元にユーザを識別して、当該ユーザに放置状態を通知（警告）することができるので、印刷物であるシートの長時間の放置状態を防止することができる。また、本発明の画像形成システムによれば、ＲＦＩＤリーダによってＲＦＩＤタグ付クリップから読み出されたＲＦＩＤデータをネットワーク接続された複数台の画像形成装置で共有化することにより、最寄りの画像形成装置の回収箱にＲＦＩＤタグ付クリップを返却することができるため、ユーザに対して不便を強いることなく、かつ、回収率を上げることができる。
【発明を実施するための最良の形態】
【００１７】
以下、本発明の実施の形態について、図面を参照して説明する。ここでは、デジタル複写機に本発明の画像形成装置を適用した場合について説明する。
＜実施形態１＞
−装置全体の動作説明−
図１は、本実施形態１に係るデジタル複写機１００の内部構成の概略を示している。
【００１８】
本デジタル複写機１００は、外部から入力された画像データに応じて、所定の記録用紙に多色または単色の画像を形成する装置であり、スキャナ部２、記録媒体としての記録用紙Ｐへの画像形成を行う画像形成部３、及びこの画像形成部３へ記録用紙Ｐを搬送する用紙搬送機構部４等を備えている。以下、各部について説明する。
【００１９】
（スキャナ部２の説明）
スキャナ部２は、透明なガラス等で構成される原稿載置台２１と、この原稿載置台２１上に原稿を給紙する両面対応自動原稿送り装置（ＲＡＤＦ：Recirculating Auto Document Feeder）２２と、原稿載置台２１上に搬送された原稿を読み取るためのスキャナユニット２３とを備えており、この原稿載置台２１上の原稿を読み取り、画像データを生成する部分である。
【００２０】
ＲＡＤＦ２２は、セットされた複数枚の原稿を１枚ずつ原稿載置台２１上に自動給紙するための自動給紙トレイ２２ａを備えている。また、このＲＡＤＦ２２は、ユーザの選択に応じて原稿の片面及び両面をスキャナユニット２３に読み取らせることができるようになっている。具体的には、自動給紙トレイ２２ａ上の原稿を原稿載置台２１上に搬送するための搬送経路、原稿の両面をスキャナユニット２３に読み取らせるために原稿を反転させる反転経路を備えている。すなわち、原稿の片面のみを読み取らせる場合には、搬送経路のみを使用する一方、原稿の両面を読み取らせる場合には、搬送経路を経て、原稿載置台２１上に再度搬送するようになっている。このため、各経路には搬送経路切り替え手段及び原稿の搬送位置を認識するためのセンサ群（共に図示省略）が設けられている。なお、ＲＡＤＦ２２の構成については周知であるので、ここでは説明を省略する。
【００２１】
スキャナユニット２３は、ランプリフレクタアセンブリ２４、複数の反射ミラー２５ａ，２５ｂ，２５ｃ、光学レンズ体２６、光電変換素子（ＣＣＤ）２７を備えている。
【００２２】
ランプリフレクタアセンブリ２４は、原稿載置台２１上に載置された原稿に対して光を照射する。各反射ミラー２５ａ，２５ｂ，２５ｃは、図１に破線で光路を示すように、原稿からの反射光を一旦図１中の左方向に反射させた後、下方に反射させ、その後、光学レンズ体２６に向かうように図１中の右方向に反射させるようになっている。
【００２３】
原稿の読み取り動作は次のようになる。
【００２４】
原稿載置台２１上に原稿が載置されると、ランプリフレクタアセンブリ２４及び反射ミラー２５ａで構成される第一走査ユニット２３ａが原稿載置台２１に沿って水平方向に走査して、原稿全体に光を照射する。このとき、反射ミラー２５ｂ，２５ｃで構成される第二走査ユニット２３ｂは第一走査ユニット２３ａに対して、所定比率の速度（第一走査ユニット２３ａに対して半分の速度）で同方向に移動する。そして、反射ミラー２５ａ，２５ｂ，２５ｃで反射され、光学レンズ体２６を通過した光は、光電変換素子２７上に結像され、この光電変換素子２７において反射光が電気信号（原稿画像データ）に変換される。
【００２５】
このようにして得られた画像データは、図示しない画像処理部へ送信され、ここで各種処理が行われた後、この画像処理部のメモリに一旦記憶され、出力指示に応じてメモリ内の画像データが読み出され、画像形成部３による画像形成動作に利用される。
【００２６】
（画像形成部３の説明）
画像形成部３は、レーザ書き込みユニット３１及び電子写真プロセス部３２を備えている。レーザ書き込みユニット３１は、上記光電変換素子２７において変換された原稿画像データに基づいたレーザ光を電子写真プロセス部３２の感光体ドラム３３の表面に照射する。具体的には、上記画像データに応じたレーザ光を照射する半導体レーザ光源、このレーザ光を等角速度偏光するポリゴンミラー、この等角速度偏光されたレーザ光が感光体ドラム３３上で等角速度偏光されるように補正するｆ−θレンズ等を有している。
【００２７】
感光体ドラム３３は、図１中に矢印で示す方向に回転し、レーザ書き込みユニット３１からのレーザ光が反射ミラー３１ａで反射され、照射されることにより、その表面に静電潜像が形成される。
【００２８】
また、電子写真プロセス部３２は、上記感光体ドラム３３の周囲に、帯電器３４、現像器３５、転写器３６、剥離器（図示省略）、クリーニング器３７、除電器（図示省略）及び定着器３８が配置されている。帯電器３４は、静電潜像が形成される前の感光体ドラム３３の表面に形成された静電潜像を、画像形成物質としてのトナーにより可視像に現像する。転写器３６は、感光体ドラム３３の表面に形成されたトナー像を記録用紙Ｐに転写する。定着器３８は、記録用紙Ｐに転写されたトナー像を加熱により記録用紙Ｐ上に定着させる。剥離器およびクリーニング器３７は、トナー転写後において感光体ドラム３３の表面に残留したトナーを除去する。除電器は、感光体ドラム３３の表面の残留電荷を除去する。
【００２９】
これにより、記録用紙Ｐに画像を形成する際には、帯電器３４によって感光体ドラム３３の表面が所定の電位に帯電され、レーザ書き込みユニット３１が画像データに基づいたレーザ光を、感光体ドラム３３の表面に照射して静電潜像を形成する。その後、現像器３５が感光体ドラム３３の表面にトナーによる可視像を現像し、用紙搬送機構部４から給紙された記録用紙Ｐに対して、転写器３６によってトナー像が転写される。その後、この記録用紙Ｐは、定着器３８によって過熱され、トナー像が定着される。一方、感光体ドラム３３の表面に残留したトナーは、剥離器及びクリーニング器３７によって除去されると共に、感光体ドラム３３の表面の残留電荷が除電器によって除去される。これにより、記録用紙Ｐへの画像形成（印字）動作の１サイクルが終了する。このサイクルが繰り返されることにより、複数枚の記録用紙Ｐ，Ｐ，・・・に対し、連続的に画像形成を行うことができる。
【００３０】
（用紙搬送機構部４の説明）
用紙搬送機構部４は、第１，第２及び第３の用紙カセット４１，４２，４３、及びマルチ手差しトレイ４４に収容された記録用紙Ｐ，Ｐ，・・・を１枚ずつ搬送し、上記画像形成部３による画像形成を行わせると共に、画像形成された記録用紙Ｐを第１，第２または第３の排紙トレイ５２，５３，５４へ排出する。また、この用紙搬送機構部４は、片面に画像形成された記録用紙Ｐを一旦回収した後に、他面に対して画像形成部３による画像形成を行わせるための両面複写ユニット４５を備えている。
【００３１】
各用紙カセット４１，４２，４３のそれぞれには、異なるサイズの記録用紙Ｐ，Ｐ，・・・が収容されており、ユーザが所望するサイズの記録用紙Ｐが収容されている用紙カセットから、記録用紙Ｐが順次１枚ずつ取り出されて、搬送経路４０を経て画像形成部３に順次搬送される。
【００３２】
この用紙搬送機構部４の搬送経路４０としては、主搬送路４６と反転搬送路４７とがある。
【００３３】
主搬送路４６は、一端（記録用紙搬送方向の上流端側）が分岐され、各用紙カセット４１，４２，４３及び手差しトレイ４４の排出側にそれぞれ対向していると共に、他端（記録用紙搬送方向の下流端側）が転写器３６及び定着器３８を経て、排紙トレイ５２，５３，５４を備えた後処理装置５０に対向している。
【００３４】
反転搬送路４７は、一端（図１中、上端）が定着器３８の配設位置より下流側（図１中、左側）で主搬送路とつながっていると共に、途中部分（図１中、上下方向の中央部分）が第１及び第２の分岐路４７Ａ，４７Ｂに分岐されている。第１分岐路４７Ａは鉛直下方に延びている。一方、第２分岐路４７Ｂは、一端が両面複写ユニット４５の搬入側に対向している。
【００３５】
主搬送路４６と反転搬送路４７との接続部分及び反転搬送路４７の分岐部分には、第１及び第２の分岐爪４７a，４７bがそれぞれ設けられている。
【００３６】
第１分岐爪４７aは、反転搬送路４７を閉鎖する第１位置と、主搬送路４６の排出側を閉塞し、この主搬送路４６と反転搬送路４７とを連通させる第２位置との間で、水平軸回りに回動自在となっている。この第１分岐爪４７aが第１位置にあるときには画像形成部３を経た記録用紙Ｐが、そのまま排紙トレイ５２，５３，５４へ排紙される。一方、第１分岐爪４７aが第２位置にある場合には、画像形成部３を経た記録用紙Ｐが反転搬送路４７へ供給される。
【００３７】
第２分岐爪４７bは、反転搬送路４７の第１分岐路４７Ａを開放し、かつ第２分岐路４７Ｂを閉鎖する第１位置と、第２分岐路４７Ｂを開放し、かつ第1分岐路４７Ａを閉鎖する第２の位置との間で、水平軸回りに回動自在となっている。この第２分岐爪４７ｂが第１位置にある場合には、反転搬送路４７に搬送された記録用紙Ｐが、第１分岐路４７Ａに導かれ、その下端位置まで搬送される。その後、第２分岐爪４７ｂが、分岐部を経て第２分岐路４７Ｂに搬送され、両面複写ユニット４５へ供給される。つまり、記録用紙Ｐが、第１分岐路４７Ａ及び第２分岐路４７Ｂを経て、両面複写ユニット４５へ供給されることにより、この記録用紙Ｐが画像形成部３に供給された際に、上下が反転され、記録用紙Ｐの裏面に対して画像形成を行うことができる。
【００３８】
これにより、本実施形態の複写機１により片面コピーが行われる場合には、第１分岐爪４７aが第１位置となり、各用紙カセット４１，４２，４３または手差しトレイ４４から取り出された記録用紙Ｐが、画像形成部３により画像形成された後、そのまま排紙トレイ５２，５３，５４へ排紙される。
【００３９】
一方、両面コピーが行われる場合には、先ず、第１分岐爪４７ａが第２位置となり、第２分岐爪４７ｂが第１位置となる。これにより、各用紙カセット４１，４２，４３または手差しトレイ４４から取り出され、画像形成部３により片面に画像形成された記録用紙Ｐは、反転搬送路４７の第１分岐路４７Ａに導かれる。その後、第２分岐爪４７ｂが第２位置となり、記録用紙Ｐの搬送方向が逆転され、この記録用紙Ｐが分岐部を経て、第２分岐路４７Ｂから両面複写ユニット４５へ供給される。記録用紙Ｐの他面に画像形成を行う際には、第１分岐爪４７ａが第１位置となり、両面複写ユニット４５から取り出された記録用紙Ｐが、画像形成部３により画像形成され、排紙トレイ５２，５３，５４へ排紙される。
【００４０】
主搬送路４６の上流端（用紙カセット４１，４２，４３、手差しトレイ４４及び両面複写ユニット４５の排出側に対向する部分）には、ピックアップローラ４８が配設されている。また、各ピックアップローラ４８の下流側には、取り出された記録用紙Ｐを主搬送路４６に給紙するための複数の給紙ローラ４９の回転により、用紙カセット４１，４２，４３、手差しトレイ４４及び両面複写ユニット４５に収容されている記録用紙Ｐが、選択的に１枚ずつ主搬送路４６に給紙できる。
【００４１】
また、上述したように、本実施形態の複写機１の排紙部としては、上下２段の第１及び第２の排紙トレイ５２，５３と、後処理装置５０に内装されたＲＦＩＤタグ付クリップを用いたフィニッシャを装備した１個の第３排紙トレイ５４とを備えている。
【００４２】
後処理装置５０の内部には、主搬送路４６の下流端と各排紙トレイ５２，５３，５４とを繋ぐ搬送路が備えられており、記録用紙Ｐが排紙される排紙トレイ５２，５３，５４に応じ、搬送経路を切り替えることができる。
【００４３】
さらに、後処理装置５０内には、画像形成部３で画像を生成されたシートにＲＦＩＤタグ付クリップを付加するための後述するフィニッシャ部５１を備えている。また、フィニッシャ部５１及び排紙トレイ５２，５３，５４には、センサ（ＲＦＩＤリーダ）を設置している。これは、画像形成部３で画像を形成されたシートが、フィニッシャ部５１にてクリッピングされる際、あるいは排紙トレイ５２，５３，５４に排紙された際に、今そのシートがどこにあるのかを特定するために設置されている。
【００４４】
また、排紙トレイ５２，５３，５４上では複数のシートに対応するため、フィニッシャ部５１では返却されたＲＦＩＤタグ付クリップを含め、複数のＲＦＩＤタグ付クリップからの情報をリードするため、マルチリード機能を備えたセンサを用いている。
【００４５】
−装置内部の動作説明：機能ブロックの概要の説明−
上記構成のデジタル複写機（以下「ＭＦＰ」と略記する。）１００の機能ブロック図を図２に示す。
【００４６】
図２は、ＬＡＮ２００接続により、ユーザ端末（ＰＣやワークステーション等）３００とネットワークで接続されているＭＦＰ１００を示している。図２で示したＭＦＰ１００は、画像読取部１０２（図１のスキャナ部２に対応）、画像処理部１０３、画像形成部１０４（図１の画像形成部３に対応）、制御部１０５、記憶部１０６、ユーザＩ／Ｆ部１０７、ネットワークＩ／Ｆ部１０８、及び図１で示した排紙トレイ５２〜５４に取り付けられたＲＦＩＤリーダ１５０ａ、及び回収箱１１０及び回収箱１１０に取り付けられたＲＦＩＤリーダ１５０ｂを備えたフィニッシャ部５１で構成されている。
【００４７】
画像読取部１０２では、スキャナ機能やコピー機能を用いて原稿を読み取る。
【００４８】
画像処理部１０３では、後段の画像形成部１０４にて画像形成を行うため、入力された原稿画像データを適切に補正する。
【００４９】
画像形成部１０４では、受け取ったデータを記録用紙（シート）に画像形成する。
【００５０】
制御部１０５は、印刷データ処理部１０５１、印刷ジョブ管理部１０５２、及び認証部１０５３から構成されている。
【００５１】
印刷データ処理部１０５１では、言語解析を行って印刷データを展開し、画像処理部１０３に伝達する。
【００５２】
印刷ジョブ管理部１０５２では、出力ジョブキュー１０５２ａにより複数の画像形成ジョブの順番を元に管理を行い、出力ジョブ完了と共に、ＲＦＩＤタグのＩＤと時間を関連付けて、ＲＦＩＤデータ部１０５２ｂに記憶している。また、印刷ジョブ管理部１０５２において印刷ジョブが終了したと判定された場合には、フィニッシャ部５１において、印刷ジョブごとに印刷物（シート）を取りまとめ、ＲＦＩＤタグ付クリップにて印刷物を綴じ、排紙トレイへ印刷物を排紙する。
【００５３】
認証部１０５３では、後述のユーザＩ／Ｆ部１０７により入力されたＩＤ及びパスワードが、予め登録されたＩＤ及びパスワードと一致するかを確認し、ユーザを特定する。認証方法に関しては、指紋、虹彩等のバイオメトリクス技術を利用したものなどの情報入力ができるユーザ端末及びＭＦＰであれば、それらの情報を用いて認証可能な認証部を使用し、ユーザを特定することもできる。
【００５４】
記憶部１０６では、外部から受信したデータ及び読み込んだ原稿画像データなどを保存する。
【００５５】
ユーザＩ／Ｆ部１０７は、タッチパネル等の液晶パネル、操作用のボタンなどで構成されており、ユーザに対する認証手続きの要求、及びメッセージの表示を行う。また、ＭＦＰ１００からの要求及びメッセージに対してユーザによる操作を受け付けたり、またはユーザがＭＦＰ１００に対して出した指示を受け付ける。
【００５６】
ネットワークＩ／Ｆ部１０８は、ユーザから送信されてくるデータを受信したり、ＭＦＰ１００の排紙トレイ５２〜５４上に印刷物が放置されているのをユーザに通知する場合など、ＭＦＰ１００とＬＡＮ２００接続されている様々な機器との送受信を行う。
【００５７】
フィニッシャ部５１は、上記したように、印刷ジョブごとに印刷物を取りまとめ、綴じ部１１１によりＲＦＩＤタグ付クリップにて印刷物を綴じ、排紙トレイ５２〜５４へ印刷物を排紙する。排紙トレイ５２〜５４上に印刷物が放置されている場合、排紙トレイ５２〜５４に設置されているＲＦＩＤリーダ１５０ａにより検知されるため、印刷物が放置されているという状況をＭＦＰ１００が認識することができる。
【００５８】
また、ユーザが、排紙トレイ５２〜５４に排紙された印刷物を回収し、ＲＦＩＤタグ付クリップにて綴じられた印刷物から取り外したクリップを、フィニッシャ部５１に備えられた回収箱１１０に入れることにより、回収箱１１０に設けられたＲＦＩＤリーダ１５０ｂによって、ＲＦＩＤタグ付クリップが返却されたことを確認することができる。
【００５９】
（印刷ジョブ管理部１０５２の詳細説明）
印刷ジョブ管理部１０５２は、出力ジョブキュー１０５２ａ及びＲＦＩＤデータ部１０５２ｂの他に、出力済ジョブ監視部１０５２ｃと時計部１０５２ｄを備えている。出力済ジョブ監視部１０５２ｃは、管理者により設定された一定時間ごと、及び各印刷ジョブ完了時にＲＦＩＤリーダ１５０ａ，１５０ｂで検知したＲＦＩＤタグのＩＤデータを取得し、ジョブの完了時間と共にＲＦＩＤデータ部１０５２ｂに保存する。また、ジョブが終了してからの経過時間等、印刷放置判定を行うために必要な情報を、ＲＦＩＤデータ部１０５２ｂに保存する。
【００６０】
ここで、設定された一定時間とは、各印刷ジョブ完了時以外で、各ＲＦＩＤリーダ１５０ａ，１５０ｂが検知する時間（サイクル）のことである。これにより、排紙トレイ５２〜５４から印刷物が回収されたこと、及び回収箱１１０にＲＦＩＤタグ付クリップが返却されたこと等を検知することができ、印刷放置判定を行うことができる。
【００６１】
また、設定された一定時間ごとにＲＦＩＤデータ部１０５２ｂのデータをチェックし、予め設定された任意の時間（放置限度時間）以上経過した印刷物が存在するかどうかを検出する。この場合、印刷後何時間経過したかを検知する場合だけでなく、特定の時間、日、曜日などの単位で任意の時間（日時等）を設定してもよい。
【００６２】
該当する印刷物が検出された場合は、ユーザに対して通知を行い、また、ＭＦＰ１００上のユーザＩ／Ｆ部１０７にも同等の内容を表示する。それでも放置が続くような状況では、新規ジョブ禁止などの対策をとるようにしてもよい。
【００６３】
（ＲＦＩＤデータ部１０５２ｂの詳細説明）
図３ないし図６は、図２で示した機能ブロック図のＲＦＩＤデータ部１０５２ｂに蓄えられたデータの詳細を示している。
【００６４】
図３ないし図６では、印刷放置の判定情報として、ＲＦＩＤ、ＲＦＩＤの所在、印刷完了時刻（出力時間）、放置時間を保存した場合を例示しており、図３はある出力の実行前、図４はある出力の実行後、図５は印刷物回収後、図６はＲＦＩＤ検知不能時をそれぞれ示している。
【００６５】
図３に示すように、フィニッシャ部５１及び排紙トレイ５２〜５４の任意のＲＦＩＤリーダ１５０ａ，１５０ｂで読み取られたＩＤ情報は、ＲＦＩＤデータ部１０５２ｂに蓄えられ、図３に示す現在のＲＦＩＤの所在一覧データ及び印刷放置状況データで管理される。すなわち、現在、ＲＦＩＤリーダ１５０ａ，１５０ｂで所在が確認できたＩＤ情報が、図３（ａ）のＲＦＩＤ欄に示されている。それらのＲＦＩＤが排紙トレイ５２〜５４、フィニッシャ部５１のどちらに放置されているかが、その右欄の排紙トレイ及びフィニッシャの欄に示されている。図中、「１」で示されている場所が現在のＲＦＩＤタグ付クリップの存在場所である。
【００６６】
つまり、図３（ａ）では、ＲＦＩＤ＝「000001」、「000010」及び「100000」等はフィニッシャ部５１にあるが、ＲＦＩＤ＝「000100」は任意の排紙トレイ５２〜５４にあることを示している。また、同図（ｂ）に示す印刷放置状況により、この印刷物は、「user01」によって１５時１３分に出力され、印刷ジョブが終了してから既に４０分間放置されていることを示している。
【００６７】
次に、ある出力を実行した直後のＲＦＩＤデータ部１０５２ｂの状態を、図４に示している。この状態では、新たに「user03」によって出力されたＲＦＩＤ=「000100」が排紙トレイ５２〜５４にあることを示している。また、ＲＦＩＤ=「000001」はこの時点でも、印刷放置状態になっている。
【００６８】
しかし、印刷物を排紙トレイ５２〜５４から回収し、ＲＦＩＤタグ付クリップをフィニッシャ部５１の回収箱１１０に返却することにより、回収箱１１０のＲＦＩＤリーダ１５０ｂにより、そのＲＦＩＤ情報が検知されるため、ＲＦＩＤデータ部１０５２ｂの状態は、図５に示す状態となり、ＲＦＩＤ=「000100」の印刷物は排紙トレイ５２〜５４から回収され、ＲＦＩＤタグ付クリップが、回収箱１１０に返却されたことが分かる。
【００６９】
ユーザが印刷物を回収した際に、ＲＦＩＤタグ付クリップを返却しなかった場合、あるいは印刷物が排紙トレイ５２〜５４上から故意に移動させられた場合など、排紙トレイ５２〜５４及び回収箱１１０のどちらのＲＦＩＤリーダ１５０ａ，１５０ｂでもＲＦＩＤが検知できなくなった場合、ＲＦＩＤデータ部１０５２ｂの状態は、図６に示すようになり、ＲＦＩＤ=「000001」のＲＦＩＤタグ付クリップは、排紙トレイ５２〜５４及び回収箱１１０のどちらにも存在しないと判断される。このような場合、ＲＦＩＤタグ付クリップデータ部１０５２ｂは、前情報である、図５に示すデータを元に、ユーザ「user03」に対して通知を行う。
【００７０】
次に、印刷処理及び綴じ処理の手順について、図７に示すフローチャートを参照して説明する。ここで、印刷処理は、ユーザ端末３００からデータを受信した場合あるいはユーザＩ／Ｆ部１０７からユーザによって印刷指示を受けた場合の印刷手順を示している。また、綴じ処理は、印刷処理に応じて、ＲＦＩＤタグ付クリップを用いて印刷物を綴じる手順を示している。
【００７１】
図７に示すように、まず最初のページからステップＳ７−１〜ステップＳ７−８の処理を繰り返す。
【００７２】
まず、対象ページの展開が完了するまで待ち（ステップＳ７−２）、さらに、前頁の印刷処理が完了するまで待つ（ステップＳ７−３）。以上の処理が完了すると、次に、綴じ可能な所定頁に達したかを判定し（ステップＳ７−４）、所定頁まで達していない場合（ステップＳ７−４でＮｏと判断された場合）は、次の判定へ移る。ここで、所定頁に達していた場合（ステップＳ７−４でＹｅｓと判断された場合）は、フィニッシャ部５１を起動する（ステップＳ７−６）と共に、頁の最後まで印刷処理を開始する（ステップＳ７−７，ステップＳ７−８）。
【００７３】
所定頁に達していない場合は、最終頁かどうかを判定し（ステップＳ７−５）、その判定の結果、所定頁に達していない場合（ステップＳ７−５でＮｏと判断された場合）は、頁の最後まで印刷処理を開始する（ステップＳ７−７，ステップＳ７−８）。ここで、最終頁であれば（ステップＳ７−５でＹｅｓと判断されれば）、フィニッシャ部５１を起動する（ステップＳ７−６）と共に、最後の頁を印刷処理を開始する（ステップＳ７−７，ステップＳ７−８）。
【００７４】
綴じ処理は、フィニッシャ部５１の起動要請を受け取り後、フィニッシャ部５１の回収箱１１０及び排紙トレイ５２〜５４の各ＲＦＩＤリーダ１５０ａ，１５０ｂより、ＲＦＩＤを読み取る（ステップＳ７−９）。ここで、読み取り重複等がないかを検知し、エラーがあれば（ステップＳ７−９でＮｏと判断されれば）、エラー対応処理を行う（ステップＳ７−１７）。一方、エラーが無ければ（ステップＳ７−９でＹｅｓと判断されれば）、ＲＦＩＤタグ付クリップのセット処理を行い（ステップＳ７−１０）、ＲＦＩＤタグ付クリップがセットされているのを確認する（ステップＳ７−１１）。
【００７５】
次に、綴じ位置に印刷物が到着したかを確認し（ステップＳ７−１２）、印刷物の到着が確認され次第（ステップＳ７−１２でＹｅｓと判断されると）、綴じ処理を実施する（ステップＳ７−１３）。次に、綴じ処理の確認を行う（ステップＳ７−１４）。そして、処理の完了が確認され次第（ステップＳ７−１４でＹｅｓと判断されると）、印刷物は排紙トレイに排紙されるので、ＲＦＩＤ読み取りチェックを行う（ステップＳ７−１５）。ここで、読み取り重複等がないかを検知し、エラーがあれば（ステップＳ７−１５でＮｏと判断されれば）、エラー対応処理を行う（ステップＳ７−１７）。一方、エラーが検知されなければ（ステップＳ７−１５でＹｅｓと判断されれば）、最終検知情報に基づき、ＲＦＩＤタグ付クリップのＩＤデータ及び排紙トレイに放置中の印刷物のＩＤデータを更新する（ステップＳ７−１６）。
【００７６】
図８は、ＲＦＩＤデータの定期的なチェックの手順を示している。このチェックによって、出力した印刷物を放置しているユーザを特定できる。
【００７７】
出力された印刷物は、印刷直後は排紙トレイ５２〜５４上にあり、排紙トレイ５２〜５４のＲＦＩＤリーダ１５０ａによってＲＦＩＤが読み取られる（ステップＳ８−１）。そして、ユーザが印刷物を排紙トレイ５２〜５４から取り除くなどして回収することによって、このＲＦＩＤの読み取りに変化があれば（ステップＳ８−２でＹｅｓと判断されれば）、ＲＦＩＤデータを更新する（ステップＳ８−３）。
【００７８】
次に、フィニッシャ部５１の回収箱１１０のＲＦＩＤリーダ１５０ｂによって、回収箱１１０に戻されたＲＦＩＤタグ付クリップのＲＦＩＤを読み取る（ステップＳ８−４）。その結果、ユーザが印刷物の回収時にＲＦＩＤタグ付クリップを回収箱１１０に戻すことによって、ＲＦＩＤの読み取りに変化があれば（ステップＳ８−５でＹｅｓと判断されれば）、ＲＦＩＤデータを更新する（ステップＳ８−６）。
【００７９】
一方、ステップＳ８−２において、ＲＦＩＤの読み取りに変化がなければ（Ｎｏと判断されれば）、現在時刻と出力時刻を比較して、所定時間（放置限度時間）以上印刷物が排紙トレイ５２〜５４上に滞留したままであるかどうかを判断する（ステップＳ８−７）。その結果、所定時間以上印刷物が滞留したままである場合（ステップＳ８−７でＹｅｓと判断された場合）には、ユーザまたはユーザ端末３００に対して警告を行う（ステップＳ８−９）。このとき、場合によっては（特に長時間滞留している場合や、多数のジョブを滞留している場合など）、新規ジョブを禁止する（ステップＳ８−８）ようにしてもよい。また、印刷物は回収されているが、その後一定時間（例えば、１分等）経過してもＲＦＩＤタグ付クリップが回収箱１１０に未返却になっている場合（ステップＳ８−５でＮｏ、ステップＳ８−１０でＹｅｓと判断された場合）も、ユーザまたはユーザ端末３００に対して警告を行う（ステップＳ８−９）。
【００８０】
また、図９に示すように、放置限度時間以外に、予め設定された特定の時間、日及び曜日などを設定（例えば、予め勤務終了時間等を設定）することにより、任意の時間にユーザに対して印刷物の放置を通知することが可能となる。これにより、退社時までに印刷物が取り除かれ、休日中、退勤後等の勤務外時間に印刷物が放置されることを未然に防止することができる。
【００８１】
図９に示すように、勤務終了時間が設定されている場合は、まず（勤務終了時間−α）時間前（αは任意に設定可能、または設定時にα分を勤務終了時間に加味しても良い）であるかを判定し（ステップＳ９−１）、（勤務終了時間−α）時間前であれば（ステップＳ９−１でＹｅｓと判断されれば）、このときの放置限度時間をリセットして（ステップＳ９−３）、直ちにトレイ監視を開始する（ステップＳ９−４）。一方、勤務終了時間が（勤務終了時間−α）時間後であれば（ステップＳ９−１でＮｏと判断されれば）、タイマーカウントが０であるかを判定し（ステップＳ９−２）、０であれば、トレイ監視をスタートする（ステップＳ９−４）。ここで、０でない場合は、最初に戻る。トレイ監視がスタートすると、次の監視のために、再度、放置限度時間のデフォルト値を設定し（ステップＳ９−５）、タイマーをセットする（ステップＳ９−６）。これにより、任意の設定時間においてもユーザに対して放置の通知を行うことができる。
＜実施形態２＞
上記実施形態１では、ＲＦＩＤタグ付クリップのＩＤをＲＦＩＤリーダ１５０ａ，１５０ｂによって読み取り、その読み取った場所と時間から、ユーザを特定していたが、本実施形態２では、印刷物をＲＦＩＤタグ付クリップで綴じる場合に、印刷ユーザ情報をＲＦＩＤタグに書き込むようにしたものである。なお、その他のハードウェア構成は、図１に示す構成と同じである。
【００８２】
図１０は、本実施形態２に係わるデジタル複写機（ＭＦＰ）１００の機能ブロック図を示している。
【００８３】
すなわち、本実施形態２では、ＲＦＩＤタグへの書き込みを行うためのＲＦＩＤライタ１６０をフィニッシャ部５１の綴じ部１１１に設け、印刷完了時にユーザＩＤ、印刷した時間等、放置判定に必要となる情報をＲＦＩＤタグに書き込みを行う構成としている。コピーをとる場合には、各自使用前に入力したＩＤを記録し、プリンタとして使用する場合には、ユーザ端末３００等から送信されてきたデータを受け取った時間を記録する。なお、その他の構成は、回収箱１１０とＲＦＩＤリーダ１５０ｂとを除いて、上記実施形態１の機能ブロック図である図２の構成とほぼ同じである。ただし、制御部１０５については、上記実施形態１では、出力済ジョブ監視部１０５２ｃやＲＦＩＤデータ部１０５２ｂを設けていたが、本実施形態２ではこれらが不要となり、代わりに放置判定部１０５４を設けた構成となっている。
【００８４】
図１１は、一連の印刷物がＲＦＩＤタグ付クリップにて綴じられ、排紙トレイ５２〜５４に出力された後、排紙トレイ５２〜５４に設置されているＲＦＩＤリーダ１５０ａによって印刷完了時に検知されたデータ情報の一例を示している。この出力時間と現在の時間から、該当印刷物の放置時間を割り出し、ユーザに通知を行う。
【００８５】
図１２は、本実施形態２の構成での印刷処理及び綴じ処理のフローチャートである。なお、印刷処理であるステップＳ１２−１〜ステップＳ１２−８の処理は、上記実施形態１での印刷処理である図７に示すフローチャートのステップＳ７−１〜ステップＳ７−８の処理と同じであるので、ここでは印刷処理の説明を省略する。
【００８６】
綴じ処理に関しては、ステップＳ１２−６にてフィニッシャ起動要請を受けてから、ＲＦＩＤタグ付クリップをセットし（ステップＳ１２−９）、セットが確認できてから（ステップＳ１２−１０でＹｅｓと判断されると）、綴じ部１１１に設けられたＲＦＩＤライタ１６０で現在処理中の印刷ジョブのユーザＩＤ、時間等、放置判定に必要な情報をＲＦＩＤタグに書き込む（ステップＳ１２−１１）。書き込みが完了すると、上記実施例１の場合と同様、綴じ処理を行っていく（ステップＳ１２−１２〜ステップＳ１２−１５）。また、放置判定に必要な情報を書き込めなかった場合（ステップＳ１２−１１でＮｏと判断された場合）は、エラー対応処理を行う（ステップＳ１２−１６）。
【００８７】
このように、本実施形態２の構成では、排紙トレイ５２〜５４においてＲＦＩＤリーダ１５０ａにより読み出された情報に、ユーザＩＤ、印刷完了時間等が含まれているため、ユーザＩＤ、印刷完了時間等の放置判定に必要となる情報を関連付けてＲＦＩＤデータ部１０５２ｂ（実施形態１の場合）に記憶する必要がなく、ＲＦＩＤリーダ１５０ａから得られた情報を元に放置判定部１０５４で放置判定のみを行うため、制御部１０５の構成が簡単なものとなる。
＜実施形態３＞
上記実施形態１及び実施形態２では、ＲＦＩＤリーダを複数個設けているが、本実施形態３では、ＲＦＩＤリーダを１つだけ用いる構成としている。なお、その他のハードウェア構成は、図１に示す構成と同じである。
【００８８】
図１３は、本実施形態３に係わるデジタル複写機（ＭＦＰ）１００の機能ブロック図を示している。
【００８９】
すなわち、本実施形態３では、印刷放置を検出する構成として、フィニッシャ部５１の綴じ部１１１にクリップホルダー１１２を設置し、このクリップホルダー１１２にセットされたＲＦＩＤタグ付クリップを検知するために、ＲＦＩＤリーダ１５０ｃを取り付けた構成としている。なお、その他の構成は、排紙トレイ５２〜５４に取り付けられていたＲＦＩＤリーダ１５０ａ、及び回収箱１１０と回収箱１１０に取り付けられていたＲＦＩＤリーダ１５０ｂを除いて、上記実施形態１の機能ブロック図である図２の構成と同じである。ただし、制御部１０５については、印刷ジョブ管理部１０５２のＲＦＩＤデータ部１０５２ｂにＲＦＩＤリーダ１５０ｃからの読み取り情報が記憶される構成となっている。
【００９０】
次に、本実施形態３の構成での印刷処理及び綴じ処理について説明する。
【００９１】
まず、綴じ部１１１にて印刷物を綴じる前に、現在、クリップホルダー１１２にセットされているＲＦＩＤタグ付クリップのＩＤを、ＲＦＩＤリーダ１５０ｃによって読み取り、ＩＤリストを取得して、ＩＤリスト情報を更新する。
【００９２】
そして、印刷完了時に、綴じ部１１１にて一連の印刷物にＲＦＩＤタグ付クリップを用いて綴じた後、再度、クリップホルダー１１２にセットされているＲＦＩＤタグ付クリップのＩＤリストを取得する。このとき、綴じる前及び綴じた後のＩＤリストを比較し、双方のＩＤリストにて変化のあったＩＤに関して、その情報と印刷完了時間、ユーザ情報等をＲＦＩＤデータ部１０５２ｂに記録する。
【００９３】
その後、ユーザによって、印刷物からＲＦＩＤタグ付クリップが取り外され、綴じ部１１１に設置されているクリップホルダー１１２に返却される（再セットされる）。
【００９４】
クリップホルダー１１２に設置されたＲＦＩＤリーダ１５０ｃは、所定時間（予め設定された任意の時間）ごとにクリップホルダー１１２にセットされているＲＦＩＤタグのＩＤリストを取得するようになっており、このときＲＦＩＤデータ部１０５２ｂに記録されているＲＦＩＤタグのＩＤ情報と照合し、ＲＦＩＤタグ付クリップが返却されていることが確認できれば、該当する印刷物はユーザによって回収されたと判断し、ＲＦＩＤデータ部１０５２ｂに記録されている放置リストからユーザ情報、ＩＤ情報等を消去する。なお、上記所定時間は、印刷後の経過時間（放置限度時間）だけでなく、特定の時間、日、曜日などの単位で設定してもよい。
【００９５】
一方、所定時間以上経過してもＲＦＩＤタグ付クリップがクリップホルダー１１２に返却されないような場合は、印刷物が放置されている、あるいは印刷物はユーザによって回収されたが、ＲＦＩＤタグ付クリップは返却されていないと判断し、ユーザに対して通知を行い、またＭＦＰ１００上のユーザＩ／Ｆ部１０７にも同等の内容を表示する。それでも放置が続くような状況では、新規ジョブ禁止などの対策をとるようにしてもよい。
【００９６】
本実施形態３の構成では、１つのＲＦＩＤリーダ１５０ｃのみで印刷物の放置判定が可能であるため、印刷放置防止システムの構成が容易となり、コストを抑えることができる。
＜実施形態４＞
本実施形態４では、複数のＭＦＰをネットワークで接続し、ＲＦＩＤデータに関してはネットワークに接続されている複数のＭＦＰ間で共有化する構成としたものである。
【００９７】
図１４は、本実施形態４の画像処理システムの機能ブロック図を示している。
【００９８】
本実施形態４の画像処理システムは、複数のＭＦＰ１００Ａ，１００Ｂ，・・・，１００Ｚが、ユーザ端末３００とともにネットワーク（ＬＡＮ）２００によって相互に接続された構成となっており、ＲＦＩＤデータに関しては、これら複数のＭＦＰ１００Ａ，１００Ｂ，・・・，１００Ｚで共有する構成となっている。なお、ＭＦＰ１００Ａ，１００Ｂ，・・・，１００Ｚの構成については、上記実施形態１〜実施形態３のいずれかの構成とすることができるが、ここでは上記実施形態１の構成とし、かつ、排紙トレイ５２〜５４のＲＦＩＤリーダ１５０ａを削除した構成として図示している。
【００９９】
すなわち、ユーザがＭＦＰ１００Ａにて、ＲＦＩＤタグ付クリップにて綴じられた印刷物を回収し、その印刷物から取り外したＲＦＩＤタグ付クリップを例えばＭＦＰ１００Ｂのフィニッシャ部５１の回収箱１１０に返却した場合、ＲＦＩＤデータを共有化することにより、ＭＦＰ１００Ａの放置リストからこのユーザが消去される。ユーザが誤ってＲＦＩＤタグ付クリップも回収してしまった場合でも、最寄りのＭＦＰの回収箱に返却することができるため、ユーザに対して不便を強いることなく、また回収率を上げることが可能である。
【図面の簡単な説明】
【０１００】
【図１】本発明の画像形成装置の基本構成を示す概略図である。
【図２】本発明の実施形態１に係る画像処理装置の機能ブロック図である。
【図３】印刷ジョブ管理部のＲＦＩＤデータ部に蓄えられたデータの詳細を示す説明図であり、データ出力前の状態を示している。
【図４】印刷ジョブ管理部のＲＦＩＤデータ部に蓄えられたデータの詳細を示す説明図であり、データ出力後の状態を示している。
【図５】印刷ジョブ管理部のＲＦＩＤデータ部に蓄えられたデータの詳細を示す説明図であり、印刷物回収後の状態を示している。
【図６】印刷ジョブ管理部のＲＦＩＤデータ部に蓄えられたデータの詳細を示す説明図であり、ＲＦＩＤ検知不能時の状態を示している。
【図７】実施形態１に係る印刷処理及び綴じ処理のフローチャートである。
【図８】ＲＦＩＤデータの定期的なチェックの処理動作を示すフローチャートである。
【図９】監視起動時の処理動作を示すフローチャートである。
【図１０】本発明の実施形態２の画像処理装置の機能ブロック図である。
【図１１】ＲＦＩＤデータで検知されたデータの例を示す説明図である。
【図１２】本実施形態２の構成での印刷処理及び綴じ処理のフローチャートである。
【図１３】本発明の実施例３の画像処理装置の機能ブロック図である。
【図１４】本発明の実施例３の画像処理装置の機能ブロック図である。
【符号の説明】
【０１０１】
２  スキャナ部
３  画像形成部
４  用紙搬送機構部
５１  フィニッシャ部
５２〜５４  排紙トレイ
１００  画像形成装置（ＭＦＰ、デジタル複写機）
１０２  画像読取部
１０３  画像処理部
１０４  画像形成部
１０５  制御部
１０６  記憶部
１０７  ユーザＩ／Ｆ部
１０８  ネットワークＩ／Ｆ部
１１０  回収箱
１１１  綴じ部
１１２  クリップホルダー
１５０ａ〜１５０ｃ  ＲＦＩＤリーダ
１６０ＲＦＩＤライタ
２００  ＬＡＮ
３００  ユーザ端末
１０５１  印刷データ処理部
１０５２  印刷ジョブ管理部
１０５３  認証部
１０５４  放置判定部
【図１】
2005201968.tif 000003
【図２】
2005201968.tif 000004
【図３】
2005201968.tif 000005
【図４】
2005201968.tif 000006
【図５】
2005201968.tif 000007
【図６】
2005201968.tif 000008
【図７】
2005201968.tif 000009
【図８】
2005201968.tif 000010
【図９】
2005201968.tif 000011
【図１０】
2005201968.tif 000012
【図１１】
2005201968.tif 000013
【図１２】
2005201968.tif 000014
【図１３】
2005201968.tif 000015
【図１４】
2005201968.tif 000016